(57)【要約】【課題】電気光学装置を構成するある回路基板とこの回路基板に対して所定の位置に配置されるフレキシブル配線基板とを電気的に接続する際に、フレキシブル配線基板の設置位置のずれによっても接続することが可能な構成を有する電気光学装置を提供する。【解決手段】電気光学材料が配置されてなる電気光学パネルと、電気光学パネルを駆動するための回路が配線され、電気光学パネルと電気的に接続される配線基板５０と、配線基板５０との電気的接続を行う部分を有する枝状に分岐した枝状部６１を折り返して、配線基板５０の所定の位置に設置されるフレキシブル配線基板６０と、を備える。【選択図】        図５
2005173000.tif 000002
【特許請求の範囲】
【請求項１】
電気光学材料が配置されてなる電気光学パネルと、
前記電気光学パネルを駆動するための回路が配線され、前記電気光学パネルと電気的に接続される配線基板と、
前記配線基板との電気的接続を行う部分を有する枝状に分岐した枝状部を折り返して、前記配線基板上の所定の位置に設置されるフレキシブル配線基板と、
を備えることを特徴とする電気光学装置。
【請求項２】
電気光学材料が配置されてなる第１の電気光学パネルと、
一端が前記第１の電気光学パネルに接続され、他端が前記第１の電気光学パネルの表示面とは反対の面側に折り曲げられて固定され、前記第１の電気光学パネルを駆動するための回路が配線された第１のフレキシブル配線基板と、
前記第１の電気光学パネルの表示面とは反対の面側の所定の位置に配置される、電気光学材料を有してなる第２の電気光学パネルと、
一端が前記第２の電気光学パネルに接続され、前記第１のフレキシブル配線基板との電気的接続を行う部分が設けられた枝状に分岐した枝状部を有する第２のフレキシブル配線基板と、
を備え、前記第２のフレキシブル配線基板は、前記枝状部を折り返して前記第１のフレキシブル配線基板上の所定の位置で電気的な接続を行うことを特徴とする電気光学装置。
【請求項３】
前記第２のフレキシブル配線基板の前記枝状部の折り返される部分には、補強部材が形成されていないことを特徴とする請求項１または２に記載の電気光学装置。
【請求項４】
電気光学材料が配置されてなる第１の電気光学パネルと、
一端が前記第１の電気光学パネルに接続され、他端が前記第１の電気光学パネルの表示面とは反対の面側に折り曲げられて固定され、前記第１の電気光学パネルを駆動するための回路が配線された第１のフレキシブル配線基板と、
前記第１の電気光学パネルの表示面とは反対の面側の所定の位置に配置される、電気光学材料を有してなる第２の電気光学パネルと、
一端が前記第２の電気光学パネルに接続され、前記第１のフレキシブル配線基板との電気的接続を行う部分が設けられた枝状に分岐したコの字形状の枝状部を有する第２のフレキシブル配線基板と、
を備えることを特徴とする電気光学装置。
【請求項５】
請求項１〜４のいずれか１つに記載の電気光学装置を備えたことを特徴とする電子機器。
【発明の詳細な説明】
【技術分野】
【０００１】
本発明は、フレキシブル配線基板を用いて構成される電気光学装置と、該電気光学装置を使用した電子機器に関するものである。
【背景技術】
【０００２】
従来、両面表示が可能な電気光学装置を用いた電子機器が実現されている。図１２は、両面表示が可能な電気光学装置の一例として液晶表示装置を用いた従来の携帯電話における液晶表示部の断面を模式的に示す図である。携帯電話の液晶表示部のハウジング２５０の中には、上下一対の基板の間に液晶を封止して電圧を印加できるようにした第１の液晶表示パネル２５１と第２の液晶表示パネル２５２が互いに重なるように組み込まれ、第１の液晶表示パネル２５１にはフレキシブル配線基板２５３が導通接続される。このフレキシブル配線基板２５３は、電源側に接続されるコネクタ２５３ａを備えるとともにプリント配線パターンを形成して、ドライバＩＣ２５３ｂが導通搭載される。また、第１と第２の液晶表示パネル２５１，２５２は、プリント配線パターンを形成したヒートシール２５４によって導通接続される（たとえば、特許文献１参照）。
【０００３】
このような２枚の第１と第２の液晶表示パネル２５１，２５２を重ね合わせた構造を基本にして、第１と第２の液晶表示パネル２５１，２５２の種々の接続方法が提案されている。図１３は、両面表示が可能な液晶表示部の断面を模式的に示す図であり、図１４は、表示面の小さな第２の液晶表示パネル側から観察した場合の液晶表示部を模式的に示す平面図である。この例では、フレーム２５５の表裏両面に、それぞれ第１と第２の液晶表示パネル２５１，２５２が支持される構成となっている。第１の液晶表示パネル２５１の一方の端部には、第１のフレキシブル配線基板２５６が固定されている。この第１のフレキシブル配線基板２５６は、折り曲げられてフレーム２５５の裏側の面に貼り付けられる。ただし、第１のフレキシブル配線基板２５６は、折り曲げたときにフレーム２５５上の第２の液晶表示パネル２５２が載置される部分と重ならない形状となっている。第２の液晶表示パネル２５２は、フレーム２５５の裏側の所定の位置に設けられた支持枠２５８内に載置される。第２の液晶表示パネル２５２の一方の端部にも、第２の液晶表示パネル２５２を駆動するための素子や第１のフレキシブル配線基板２５６と接続するための配線がなされた第２のフレキシブル配線基板２５９が固定されている。この第２のフレキシブル配線基板２５９は、第１のフレキシブル配線基板２５６上の所定の位置で電気的に接続するためのコネクタなどの接続部を先端に備える枝状部２５９ａを有している。これによって、第１と第２のフレキシブル配線基板２５６，２５９とは、接続部２５７を介して電気的に接続される構成となっている。ここで、第２のフレキシブル配線基板２５９の形状および寸法は、第２の液晶表示パネル２５２を所定の位置に載置したときに、第１のフレキシブル配線基板２５６の所定の位置に形成された接続部２５７と接続することができるような形状および寸法として決定される。
【０００４】
【特許文献１】特開２００１−２１５４７５号公報
【発明の開示】
【発明が解決しようとする課題】
【０００５】
しかしながら、上述した従来の両面表示が可能な液晶表示装置では、第１と第２の液晶表示パネル２５１，２５２を組み立てる際に、たとえば、第１のフレキシブル配線基板２５６の第１の液晶表示パネル２５１への貼り付け位置のずれや、第２のフレキシブル配線基板２５９の第２の液晶表示パネル２５２への貼り付け位置のずれなどが生じてしまう。その結果、第２のフレキシブル配線基板２５９の接続部の位置と第１のフレキシブル配線基板２５６の接続部２５７の位置との間にずれが生じてしまう。上述したように第２のフレキシブル配線基板２５９は、設計どおりの理想的な接続が行われた場合の寸法を基準にして形成されているので、位置ずれが生じた場合には、第１と第２のフレキシブル配線基板２５６，２５９とを接続部で接続することができなかったり、また、接続できたとしても無理な接続を行っているために第２のフレキシブル配線基板２５９に大きな負荷がかかってしまったりするという問題点があった。このような問題点は、液晶表示装置だけでなく両面表示が可能な電気光学装置全般に起こり得るものである。
【０００６】
本発明は、上記に鑑みてなされたものであって、電気光学装置を構成するある回路基板とこの回路基板に対して所定の位置に配置されるフレキシブル配線基板とを電気的に接続する際に、フレキシブル配線基板の設置位置のずれによっても接続することが可能な構成を有する電気光学装置を提供することを目的とする。また、この電気光学装置を用いた電子機器を提供することも目的とする。
【課題を解決するための手段】
【０００７】
上述した課題を解決し、目的を達成するために、本発明は、電気光学材料が配置されてなる電気光学パネルと、前記電気光学パネルを駆動するための回路が配線され、前記電気光学パネルと電気的に接続される配線基板と、前記配線基板との電気的接続を行う部分を有する枝状に分岐した枝状部を折り返して、前記配線基板上の所定の位置に設置されるフレキシブル配線基板と、を備えることを特徴とする。これにより、組み立て時に配線基板上に設置されるフレキシブル配線基板の位置がずれたとしても、フレキシブル配線基板の枝状部の折り曲げ具合を変えることによって、フレキシブル配線基板の電気的接続を行う部分を配線基板の所定の位置に合わせることが可能となる。その結果、組み立て時における配線基板とフレキシブル配線基板との間の位置ずれが吸収され、両者の接続部を接続することができるという効果を有する。また、フレキシブル配線基板には過剰な負荷がかからないので、フレキシブル配線基板の寿命を延ばすことができるという効果も有する。
【０００８】
また、本発明の好ましい態様によれば、電気光学材料が配置されてなる第１の電気光学パネルと、一端が前記第１の電気光学パネルに接続され、他端が前記第１の電気光学パネルの表示面とは反対の面側に折り曲げられて固定され、前記第１の電気光学パネルを駆動するための回路が配線された第１のフレキシブル配線基板と、前記第１の電気光学パネルの表示面とは反対の面側の所定の位置に配置される、電気光学材料を有してなる第２の電気光学パネルと、一端が前記第２の電気光学パネルに接続され、前記第１のフレキシブル配線基板との電気的接続を行う部分が設けられた枝状に分岐した枝状部を有する第２のフレキシブル配線基板と、を備え、前記第２のフレキシブル配線基板は、前記枝状部を折り返して前記第１のフレキシブル配線基板上の所定の位置で電気的な接続を行うことを特徴とする。これにより、組み立て時に第１の配線基板と第２のフレキシブル配線基板との間の相対的な位置がずれたとしても、第２のフレキシブル配線基板の枝状部の折り曲げ具合を変えることによって、第２のフレキシブル配線基板の電気的接続を行う部分を第１のフレキシブル配線基板の所定の位置に合わせることが可能となる。その結果、組み立て時における第１のフレキシブル配線基板と第２のフレキシブル配線基板との間の位置ずれが吸収され、両者の接続部を接続することができるという効果を有する。また、第２のフレキシブル配線基板には過剰な負荷がかからないので、第２のフレキシブル配線基板の寿命を延ばすことができるという効果を有する。
【０００９】
また、本発明の好ましい態様によれば、上記の発明において、前記第２のフレキシブル配線基板の前記枝状部の折り返される部分には、補強部材が形成されていないことを特徴とする。これにより、第２のフレキシブル配線基板を第１のフレキシブル配線基板と電気的に接続する場合に、第２のフレキシブル配線基板の枝状部を容易に折り曲げることができる。その結果、第１のフレキシブル配線基板と第２のフレキシブル配線基板との組み立て時における位置がどのようにずれたとしても、そのずれにあわせて第２のフレキシブル配線基板の枝状部を変形して接続することができるという効果を有する。
【００１０】
また、本発明の好ましい態様によれば、電気光学材料が配置されてなる第１の電気光学パネルと、一端が前記第１の電気光学パネルに接続され、他端が前記第１の電気光学パネルの表示面とは反対の面側に折り曲げられて固定され、前記第１の電気光学パネルを駆動するための回路が配線された第１のフレキシブル配線基板と、前記第１の電気光学パネルの表示面とは反対の面側の所定の位置に配置される、電気光学材料を有してなる第２の電気光学パネルと、一端が前記第２の電気光学パネルに接続され、前記第１のフレキシブル配線基板との電気的接続を行う部分が設けられた枝状に分岐したコの字形状の枝状部を有する第２のフレキシブル配線基板と、を備えることを特徴とする。これにより、組み立て時に第１の配線基板と第２のフレキシブル配線基板との間の相対的な位置がずれたとしても、第２のフレキシブル配線基板のコの字形状の枝状部が変形することによって、第２のフレキシブル配線基板の電気的接続を行う部分を第１のフレキシブル配線基板の所定の位置に合わせることが可能となる。その結果、組み立て時における第１のフレキシブル配線基板と第２のフレキシブル配線基板との間の位置ずれが吸収され、両者の接続部を接続することができるという効果を有する。また、第２のフレキシブル配線基板には過剰な負荷がかからないので、第２のフレキシブル配線基板の寿命を延ばすことができるという効果を有する。
【００１１】
また、本発明にかかる電子機器は、上記の発明のいずれかに記載の電気光学装置を備えることを特徴とする。これにより、電気光学装置の組み立て時に多少の位置ずれが発生した場合でも、その位置ずれを吸収して複数の配線基板間を電気的に接続することが可能となる。その結果、使用に耐えない電気光学装置が製造される割合が減少し、品質の安定した電子機器を供給することができるという効果を有する。
【発明を実施するための最良の形態】
【００１２】
以下に添付図面を参照して、本発明にかかる電気光学装置および電子機器の好適な実施例を詳細に説明する。なお、以下では、電気光学装置の一例として液晶表示装置を例に挙げて説明するが、これらの実施例により本発明が限定されるものではなく、プラズマディスプレイ装置、エレクトロルミネッセンス装置、電気泳動装置などの電気光学装置にも適用することが可能である。
【実施例１】
【００１３】
図１〜図６−２は、本発明にかかる電気光学装置の一例としての液晶表示装置の構成を示す図である。図１は、本発明にかかる液晶表示装置の実施例１の構成を模式的に示す分解斜視図であり、図２は、第１の液晶表示パネルと第１のフレキシブル配線基板の概略構成を示す平面図であり、図３−１は、フレームを構成する第１の支持部材の構成を示す平面図であり、図３−２は、フレームを構成する第２の支持部材の構成を示す平面図であり、図４は、第２の液晶表示パネルと第２のフレキシブル配線基板の概略構成を示す平面図であり、図５は、液晶表示装置の組み立て状態を示す平面図であり、図６−１は、図４における第２のフレキシブル配線基板のＡ−Ａ断面図であり、図６−２は、図４における第２のフレキシブル配線基板のＢ−Ｂ断面図である。
【００１４】
この液晶表示装置１は、図１に示されるように、両面表示が可能な液晶表示装置１の一方の側の表示に使用される第１の液晶表示パネル１０と、第１の液晶表示パネル１０を照射するためのバックライトユニット２０と、他方の側の表示に使用される第２の液晶表示パネル３０と、これらの第１の液晶表示パネル１０、バックライトユニット２０、および第２の液晶表示パネル３０を支持して固定するフレーム４０と、液晶表示装置１を駆動するための素子や配線が形成され、第１の液晶表示パネル１０にその一部が固定される第１のフレキシブル配線基板５０と、第２の液晶表示パネル３０を駆動するための素子や配線が形成され、第２の液晶表示パネル３０にその一部が固定される第２のフレキシブル配線基板６０と、を有して構成される。以下の説明では、フレーム４０のうち第１の液晶表示パネル１０が固定される側を表側と呼び、第２の液晶表示パネル３０が固定される側を裏側と呼ぶものとする。
【００１５】
第１の液晶表示パネル１０は、一対のパネル基板がシール材を介して貼り合わせられ、貼り合わせられた２つのパネル基板内に電気光学素子としての液晶を封入して構成される。一対のパネル基板の液晶が封入される側の表面には、液晶を制御するための電極がマトリクス状に形成されている。一対のパネル基板のうちの一方のパネル基板は、他方のパネル基板に対して一方の側に張り出した張出領域１１を有している。この張出領域１１に、マトリクス状に形成された電極と第１のフレキシブル配線基板５０上の駆動回路とを接続するためのバンプが形成される。なお、第１のフレキシブル配線基板５０上の駆動回路を張出領域１１上に設けるようにしてもよい。第２の液晶表示パネル３０も第１の液晶表示パネル１０と同様の構成を有する。ただし、第２の液晶表示パネル３０では、第２の液晶表示パネル３０を駆動するための駆動回路が張出領域３１上に設けられている。また、本実施例では、第２の液晶表示パネル３０の情報の表示が行われる表示面の領域は、第１の液晶表示パネル１０の表示面よりも小さい場合を示している。
【００１６】
バックライトユニット２０は、第１の液晶表示パネル１０の表示面と対向する裏側の面に接触して配置され、第１のフレキシブル配線基板５０に実装される光源からの光を導く導光板２１や導光板２１の底面に入射する光を第１の液晶表示パネル１０側に反射させる反射シート２２を含んで構成される。
【００１７】
フレーム４０は、バックライトユニット２０を備える第１の液晶表示パネル１０と第２の液晶表示パネル３０を支持し、固定する構造を有する。この例では、図３−１〜図３−２に示されるように、フレーム４０は、バックライトユニット２０や第１の液晶表示パネル１０を支持する第１の支持部材４１と、第１の液晶表示パネル１０とは反対側の裏側の面に第２の液晶表示パネル３０を支持するように第１の支持部材４１の底面を形成し、第１の支持部材４１によって支持される第２の支持部材４２とから構成される。すなわち、第１の支持部材４１には、第２の支持部材４２、バックライトユニット２０、第１の液晶表示パネル１０がこの順に設置され、固定される。第２の支持部材４２の裏側には、所定の位置に第２の液晶表示パネル３０を収めることができるように支持枠４３が形成され、この支持枠４３内に第２の液晶表示パネル３０が戴置される。また、支持枠４３内には、第２の液晶表示パネル３０の表示面とほぼ同じ大きさの窓４４が設けられている。この窓４４には、図示しない反射シートが置かれる。
【００１８】
第１のフレキシブル配線基板５０は、第１の液晶表示パネル１０のバックライトユニット２０の導光板２１に光を導くための光源としての発光素子や、第１と第２の液晶表示パネル１０，３０を駆動するための素子と配線を有する。第１のフレキシブル配線基板５０の一端は、第１の液晶表示パネル１０の張出領域１１に固定され、張出領域１１上に形成されたバンプと電気的に接続される。また、第１のフレキシブル配線基板５０は、張出領域１１上に接続された端部と対向する他方の端部をフレーム４０の裏側に折り曲げて、フレーム４０の裏面側（第２の支持部材４２）に両面テープや接着剤などで貼り付けられる。第１のフレキシブル配線基板５０の形状は、折り曲げてフレーム４０に固定したときに、第２の液晶表示パネル３０と重ならないように加工される。さらに、第１のフレキシブル配線基板５０は、後述する第２のフレキシブル配線基板６０と電気的に接続するための第１の接続部５１を備えている。
【００１９】
第２のフレキシブル配線基板６０は、第２の液晶表示パネル３０を駆動するための素子と配線を有し、その一端は、第２の液晶表示パネル３０の張出領域３１に固定され、張出領域３１上の駆動素子と電気的に接続される。この第２のフレキシブル配線基板６０は、短冊状の枝状部６１を有しており、この枝状部６１の先端には、第１のフレキシブル配線基板５０上の第１の接続部５１と接続するための第２の接続部６２が形成される。本実施例では、第２の液晶表示パネル３０をフレーム４０上の所定の位置に固定した場合に、第２のフレキシブル配線基板６０の枝状部６１の先端部の方向が、第１の接続部５１の位置する方向とは異なる方向に向くように構成される。より具体的には、第２の接続部６２は、枝状部６１を折り曲げたときに（図示される例では、折り返したときに）第１の接続部５１と接続されるように構成される。このような第２のフレキシブル配線基板６０を折り曲げて第１と第２の接続部５１，６２との接続を行う構成としたことで、第１のフレキシブル配線基板５０の第１の液晶表示パネル１０への取り付け位置のずれや、第２のフレキシブル配線基板６０の第２の液晶表示パネル３０への取り付け位置のずれによって生じる第１と第２の接続部５１，６２の間の位置ずれが生じた場合でも、第２の接続部６２を第１の接続部５１の位置に容易に重ね合わせることができる。これは、第２の接続部６２が第１の接続部５１の位置と重なるように、枝状部６１を折り曲げる際の位置や角度を自由に変えることができることを利用したものである。なお、第１と第２の接続部５１，６２は、コネクタで接続されるような構造であってもよいし、半田で接続されるような構成であってもよい。
【００２０】
フレキシブル配線自体折り曲げ易い構造を有しているが、第２のフレキシブル配線基板６０の枝状部６１で折り曲げられる部位の付近は、他の部位に比して折り曲げ易い状態とするとさらに望ましい。図６−１〜図６−２は、表裏の両面に配線が施されている場合の第２のフレキシブル配線基板６０の構成を模式的に示す断面図であり、図６−１は通常の部位における断面を示し、図６−２は折り曲げられる部位における断面を示している。たとえば、図６−１に示されるように、通常のフレキシブル配線基板は、ポリイミドなどの可撓性を有し絶縁性の材料からなる基材８１の両面上には、銅などの導電性材料からなる金属箔８２が配置される。この金属箔８２の一部をエッチングすることによって配線パターン８２ａが形成される。また、この金属箔８２の上部には、ポリイミドなどの絶縁性の保護膜８３が接着剤などを介して被覆される。一方、図６−２に示されるように、第２のフレキシブル配線基板６０の折り曲げられる部位の付近を、図６−１の構造において上側に存在する金属箔８２と保護膜８３を取り除いた構造とすることによって、図６−１に示されるような構造を有する部分に比して、折り曲げ易いものとなる。そして、片面の金属箔８２と保護膜８３が形成されない折り曲げ部周辺では、第１と第２の接続部５１，６２の位置ずれに応じて柔軟な変形が行われる。このような金属箔８２と保護膜８３が形成されない折り曲げ部の長さは、第１と第２の接続部５１，６２の間の考え得る位置ずれに対応することが可能な長さとすればよい。
【００２１】
この実施例１によれば、回路基板の接続部とこの回路基板上の所定の位置に取り付けられるフレキシブル配線基板の接続部とを電気的に接続する際に、フレキシブル配線基板の接続部が設けられる枝状部を折り曲げて回路基板の接続部と接続するように構成したので、回路基板とフレキシブル配線基板との取り付け位置にずれが生じた場合でも、そのずれをフレキシブル配線基板の折り曲げで吸収して、両者の接続部を接続することができるという効果を有する。
【００２２】
また、第２のフレキシブル配線基板６０の枝状部６１を折り曲げることによってその第２の接続部６２を第１のフレキシブル配線基板５０の第１の接続部５１と接続するようにしたので、第１のフレキシブル配線基板５０に設けられる第１の接続部５１の位置を柔軟に変えることができるという効果を有する。特に、両面表示が可能な電気光学装置の表裏両面の電気光学パネルを組み立てる場合において、表示面積の大きい第１の電気光学パネルのスペース内の任意の位置に第２のフレキシブル配線基板と電気的に接続するための第１の接続部を設けるようにすることが可能となる。
【００２３】
さらに、第１の接続部５１の位置を設計上変更した場合でも、その位置の変更が大幅な変更でないわずかなものであれば、第２のフレキシブル配線基板６０の枝状部６１の折り曲げ位置を変えるだけで第１の接続部５１と第２の接続部６２とを接続することができ、第１の接続部５１の位置を変更したことによる第２のフレキシブル配線基板６０の形状やサイズの変更を行う必要がないという効果も有する。
【実施例２】
【００２４】
図７は、第２の液晶表示パネルと第２のフレキシブル配線基板の概略構成を示す平面図である。この実施例２では、第２のフレキシブル配線基板６０の第２の接続部６２が形成される枝状部６１ａをコの字形状を有するように構成したことを特徴とする。このように第２の接続部６２が形成される枝状部６１をコの字形状とすることによって、第２のフレキシブル配線基板６０の第２の接続部６２の可動範囲が広がるので、第１の接続部５１と容易に接続することが可能となる。
【００２５】
図８は、第２のフレキシブル配線基板６０の接続状態の一例を示す図である。この図では、第１の接続部５１の位置が、設計上の理想的な位置からわずかに左側にずれた場合を例示している。この場合、フレーム４０の支持枠４３に第２の液晶表示パネル３０が設置されると、第２のフレキシブル配線基板６０は、点線Ｌで示されるような位置に存在する。以下では、このコの字形状の枝状部６１ａを図８に示されるように、第１部分６３Ａ〜第３部分６３Ｃに便宜上区分して説明する。すなわち、枝状部６１ａは、コの字形状のうち互いに平行な軸を構成する第１部分６３Ａと第３部分６３Ｃと、これら第１部分６３Ａと第３部分６３Ｃの一方の端部に垂直に接続される第２部分６３Ｂとで構成される。
【００２６】
点線Ｌで示される状態から、第２の接続部６２を第１の接続部５１の位置に移動させると、第１部分６３Ａと第３部分６３Ｃの第２部分６３Ｂと接続される部分とは逆の部分が内側に変位するように変形する。また、これら第１部分６３Ａ、第３部分６３Ｃと、第２部分６３Ｂとの接続部分もたわむような変形が生じる。これらのコの字形状の枝状部６１ａに生じる変形が上記の位置ずれを吸収する役目を果たす。これは、第２のフレキシブル配線基板６０の枝状部６１ａの形状と寸法が、設計された理想的な状態で第１の接続部５１と接続するために必要な形状と寸法しか持たない場合に比して、多少の位置ずれにも対応できるように余裕を持った形状と寸法を有することによって、変形が吸収されることによる。
【００２７】
この実施例２によれば、第２のフレキシブル配線基板６０の第２の接続部６２が形成される枝状部６１ａをコの字形状としたので、第１の液晶表示パネル１０と第２の液晶表示パネル３０との間の接続位置のずれによる第１の接続部５１と第２の接続部６２との位置ずれを吸収することができる。
【実施例３】
【００２８】
この実施例３では、実施例１〜２で説明した電気光学装置を備える電子機器の具体例について説明する。図９−１〜図１１−２は、それぞれ、この発明にかかる電気光学装置を使用した電子機器の例である。図９−１〜図９−２は、本発明にかかる電気光学装置を適用した携帯電話の一例を示す図である。本発明の電子機器の一実施形態である携帯電話１００は、図９−１に示される使用状態と、図９−２に示される折り畳み状態とを備えた折り畳み式の携帯電話であって、本体部１０１と表示体部１０２とを有している。表示体部１０２の内部には、上記電気光学装置が配置され、表示体部１０２にて使用状態で表示される表側表示面１０３ａと、折り畳み状態で表示される裏側表示面１０３ｂで表示画面１０３を視認できるように構成されている。図１０は、腕時計型の電子機器の一例を示す斜視図である。時計機能を内蔵した時計本体１１０には、本発明の電気光学装置からなる表示部１１１が配置される。これによって、表裏の表示面のうち任意の表示面をリバーシブルに腕に巻き付けることが可能な腕時計型の電子機器を得ることができる。そして、図１１−１〜図１１−２は、本発明にかかる電気光学装置を適用したワードプロセッサ機やパーソナルコンピュータなどの携帯型情報処理装置の一例を示す図である。本発明の電子機器の一実施形態である携帯型情報処理装置１２０は、図１１−１に示される使用状態と、図１１−２に示される折り畳み状態とを備えた折り畳み式の携帯型情報処理装置１２０であって、キーボードなどの入力部１２２を備え、演算手段や記憶手段などが格納される情報処理装置本体部１２４と、表示体部１２６とを有している。表示体部１２６の内部には、上記電気光学装置が配置され、表示体部１２６にて使用状態で表示される表側表示面１２８ａと、折り畳み状態で表示される裏側表示面１２８ｂで表示画面１２８を視認できるように構成されている。
【００２９】
また、このような電気光学装置を備えた電子機器としては、図９−１〜図９−２に示される折り畳み式の携帯電話、図１０に示される腕時計型の電子機器、図１１−１〜図１１−２に示される携帯型情報処理装置のほかに、たとえば、液晶テレビ、デジタルスチルカメラ、腕時計、ビューファインダ型またはモニタ直視型のビデオテープレコーダ、カーナビゲーション装置、ページャ、電子手帳、電卓、ワークステーション、テレビ電話機、ＰＯＳ端末機、モバイルコンピュータなどの電気光学装置を備える電子機器のうち、両面表示を行うものに対して本発明を適用することが可能である。
【産業上の利用可能性】
【００３０】
以上のように、本発明にかかる電気光学装置は、表裏両面に表示パネルを有して表示を行う表示装置において、両面の２つの表示パネルをフレキシブル配線基板で電気的に接続する場合に有用である。
【図面の簡単な説明】
【００３１】
【図１】本発明による液晶表示装置の構成を模式的に示す分解斜視図である。
【図２】第１の液晶表示パネルと第１のフレキシブル配線基板の平面図である。
【図３−１】フレームを構成する第１の支持部材の構成を示す平面図である。
【図３−２】フレームを構成する第２の支持部材の構成を示す平面図である。
【図４】第２の液晶表示パネルと第２のフレキシブル配線基板の平面図である。
【図５】液晶表示装置の組み立て状態を示す平面図である。
【図６−１】図４における第２のフレキシブル配線基板のＡ−Ａ断面図である。
【図６−２】図４における第２のフレキシブル配線基板のＢ−Ｂ断面図である。
【図７】第２の液晶表示パネルと第２のフレキシブル配線基板の平面図である。
【図８】第２のフレキシブル配線基板の接続状態の一例を示す図である。
【図９−１】電子機器の一例を示す図である。
【図９−２】電子機器の一例を示す図である。
【図１０】電子機器の一例を示す図である。
【図１１−１】電子機器の一例を示す図である。
【図１１−２】電子機器の一例を示す図である。
【図１２】両面表示が可能な電気光学装置の従来例の断面図である。
【図１３】従来の両面表示が可能な液晶表示部の断面図である。
【図１４】従来の両面表示が可能な液晶表示部の平面図である。
【符号の説明】
【００３２】
３０  第２の液晶表示パネル、４０  フレーム、４３  支持枠、５０  第１のフレキシブル配線基板、５１  第１の接続部、６０  第２のフレキシブル配線基板、６１  枝状部
【図１】
2005173000.tif 000003
【図２】
2005173000.tif 000004
【図３−１】
2005173000.tif 000005
【図３−２】
2005173000.tif 000006
【図４】
2005173000.tif 000007
【図５】
2005173000.tif 000008
【図６−１】
2005173000.tif 000009
【図６−２】
2005173000.tif 000010
【図７】
2005173000.tif 000011
【図８】
2005173000.tif 000012
【図９−１】
2005173000.tif 000013
【図９−２】
2005173000.tif 000014
【図１０】
2005173000.tif 000015
【図１１−１】
2005173000.tif 000016
【図１１−２】
2005173000.tif 000017
【図１２】
2005173000.tif 000018
【図１３】
2005173000.tif 000019
【図１４】
2005173000.tif 000020